(57)【特許請求の範囲】
【請求項１】
筐体に形成され、外部コネクタが接続されるコネクタであって、
前記筐体に一体成形されたコネクタ本体と、
前記コネクタ本体に装着され、ねじ部が形成された装着部と、
を含み、
前記コネクタ本体は、筒状に形成され、前記装着部は、筒状に形成されると共に前記コネクタ本体の外周面に装着される周壁部を含み、
前記ねじ部は、前記周壁部に形成された、コネクタ。
【請求項２】
前記装着部は、前記コネクタ本体の外表面に被せられた、請求項１に記載のコネクタ。
【請求項３】
前記装着部は、前記コネクタ本体に圧入された、請求項１または請求項２のいずれかに記載のコネクタ。
【請求項４】
請求項１から請求項３のいずれかに記載のコネクタを備えた衛星放送コンバータであっ
て、前記コネクタは、前記衛星放送コンバータの外部出力用コネクタである、衛星放送コ
ンバータ。
【発明の詳細な説明】
【技術分野】
【０００１】
本発明は、コネクタおよび衛星放送コンバータに関する。
【背景技術】
【０００２】
従来から衛星放送コンバータの構造について各種提案されている。たとえば、特開平８−３１６８５６号公報に記載された衛星放送コンバータは、複数の基板が収容されたシャーシと、基板を覆うように配置されたシールド蓋と、シャーシに形成された外部出力用同軸コネクタとを含む。
【先行技術文献】
【特許文献】
【０００３】
【特許文献１】特開平８−３１６８５６号公報
【発明の概要】
【発明が解決しようとする課題】
【０００４】
外部出力用同軸コネクタと、シャーシとは一体化されている。シャーシおよびコネクタは、アルミダイカスト鋳造によって製造されており、アルミダイカスト鋳造後にコネクタにねじ部が機械加工によって形成される。
【０００５】
しかし、アルミダイカスト鋳造によって、巣が形成される場合がある。当該巣がねじ部を形成する部分に存在すると、ねじ部を形成する加工時に外部に露出するおそれがある。機械加工時に巣が外部に露出すると、ねじ山を正確に形成することができなくなり、結果として、衛星放送コンバータのシャーシの歩留まりが低下する。
【０００６】
なお、当該課題は衛星放送コンバータに限られず、筐体の外表面に一体的に形成されたコネクタにおいても同様の問題が生じる。
【０００７】
本発明は、上記のような課題に鑑みてなされたものであって、その目的は、筐体に一体的に形成されるコネクタにおいて、歩留まりの向上を図ることができるコネクタおよび衛星放送コンバータを提供することである。
【課題を解決するための手段】
【０００８】
本発明に係るコネクタは、筐体に形成され、外部コネクタが接続されるコネクタである。コネクタは、上記筐体に一体成形されたコネクタ本体と、コネクタ本体に装着され、ねじ部が形成された装着部とを含む。好ましくは、上記装着部は、コネクタ本体の外表面に被せられる。好ましくは、上記コネクタ本体は、筒状に形成され、装着部は、筒状に形成されると共にコネクタ本体の外周面に装着される周壁部を含む。上記ねじ部は、周壁部に形成される。好ましくは、上記装着部は、コネクタ本体に圧入される。好ましくは、衛星放送コンバータは、上記コネクタを備え、このコネクタは、外部出力用コネクタである。
【発明の効果】
【０００９】
本発明に係るコネクタおよび衛星放送コンバータによれば、コネクタおよび当該コネクタが設けられた筐体の歩留まりの向上を図ることができる。
【図面の簡単な説明】
【００１０】
【図１】本実施の形態に係る衛星放送受信用アンテナ装置１を示す側面図である。
【図２】Ｆコネクタ７の周囲を示すコンバータ本体部５の断面図である。
【図３】Ｆコネクタ７を分解したときの様子を示す断面図である。
【発明を実施するための形態】
【００１１】
図１から図３を用いて、本実施の形態に係る衛星放送受信用アンテナ装置１について説明する。図１は、本実施の形態に係る衛星放送受信用アンテナ装置１を示す側面図である。この図１に示すように、衛星放送受信用アンテナ装置１は、パラボナアンテナ２と、衛星放送コンバータ３とを含む。
【００１２】
衛星放送コンバータ３は、フィードホーン４と、このフィードホーン４が接続されたコンバータ本体部５とを含む。コンバータ本体部５内には、基板６が設けられており、コンバータ本体部５の外周面には、Ｆコネクタ７が形成されている。Ｆコネクタ７には、外部コネクタ８が接続されている。外部コネクタ８には、同軸ケーブルなどのケーブルが接続されている。Ｆコネクタ７は、衛星放送コンバータ３の外部出力用コネクタである。
【００１３】
図２は、Ｆコネクタ７の周囲を示すコンバータ本体部５の断面図である。この図２に示すように、コンバータ本体部５は、中空状の筐体９と、筐体９の外周面に設けられたＦコネクタ７とを含む。筐体９内には、図１に示す基板６などが収容されている。
【００１４】
筐体９は、たとえば、開口部が形成され、直方体形状に形成されたシャーシ１０と、このシャーシ１０の開口部を閉塞するように配置された蓋部１１とを含む。
【００１５】
Ｆコネクタ７は、シャーシ１０の周面に一体成形され、シャーシ１０の周面から突出するように形成されたコネクタ本体１２と、このコネクタ本体１２の外周面に装着された装着部１３とを含む。
【００１６】
コネクタ本体１２は、中空筒状に形成された筒部１４と、この筒部１４内に挿入された中空状の絶縁部材１６と、絶縁部材１６内に配置された端子部１５と、筒部１４内に設けられ、端子部１５を支持する絶縁性の支持部材１７とを含む。
【００１７】
図３は、Ｆコネクタ７を分解したときの様子を示す断面図である。この図３に示すように、筒部１４は、先端部が開口するように形成されている。絶縁部材１６は、筒部１４の内周面に沿って延びる周壁部３０と、周壁部３０の先端部に形成され、筒部１４の開口部を閉塞するように形成された天板部３１とを含み、天板部３１には穴部３２が形成されている。
【００１８】
装着部１３は、筒部１４の外周面に装着されており、この図３においては、装着部１３をコネクタ本体１２から取り外した状態を示す。
【００１９】
そして、装着部１３は、筒部１４の外周面に装着される周壁部２１と、周壁部２１の先端部に形成され、周壁部２１の開口部を閉塞するように形成された天板部２０とを含む。周壁部２１には、ねじ部２２が形成されており、天板部２０には、穴部２３が形成されている。この装着部１３は、たとえば、コネクタ本体１２の外周面に圧入されている。
【００２０】
上記のように構成されたコンバータ本体部５の製造方法について説明する。本実施の形態においては、シャーシ１０と、装着部１３とは、別途の製造工程で作成される。
【００２１】
シャーシ１０と、このシャーシ１０に一体的に形成された筒部１４とは、たとえば、アルミダイカスト鋳造により製造される。その後、筒部１４内に支持部材１７と、端子部１５と、筒部１４とを配置する。
【００２２】
装着部１３は、シャーシ１０とは別途製造される。具体的には、ねじ部が形成されていない周壁部と、穴部が形成された天板部とを有する中間部品を準備する。その後、当該中間部品の周壁部にねじ部２２を切削加工などの機械加工を施して、ねじ部２２を形成して装着部１３を製作する。
【００２３】
そして、図３に示すように、製作した装着部１３をコネクタ本体１２の外周面に装着する。装着方法としては、たとえば、圧入などが挙げられる。他の装着方法としては、たとえば、溶接してもよく、ネジ止めしてもよい。なお装着部１３をコネクタ本体１２に装着する装着方法としては、各種の方法を採用することができる。このように、コネクタ本体１２に装着部１３を装着することで、Ｆコネクタ７が形成される。その後、各種の工程を経ることで、コンバータ本体部５を製作することができる。
【００２４】
ここで、シャーシ１０およびコネクタ本体１２をアルミダイカスト鋳造で製作する際に、筒部１４に巣が形成される場合がある。
【００２５】
仮に、巣が形成され筒部１４の外周面にねじ部を形成すると、巣が表面に露出して、ねじ部の成形不良が生じる。これに対して、本実施の形態に係るコンバータ本体部５の製造方法によれば、筒部１４に予めねじ部２２が形成された装着部１３を装着することにしている。
【００２６】
このため、上述のように、筒部１４内に巣が形成されたとしても、当該巣が表面に露出されることがなく、コンバータ本体部５の歩留まりの向上を図ることができる。これに伴い、Ｆコネクタ７の品質向上と、コンバータ本体部５の製造コストの低減を図ることができる。以上、本発明の実施の形態について説明したが、今回開示された実施の形態はすべての点で例示であって制限的なものではないと考えられるべきである。本発明の特許範囲は請求の範囲によって示され、当該請求の範囲と均等の意味および範囲内でのすべての変更が含まれることが意図される。
【符号の説明】
【００２７】
１  衛星放送受信用アンテナ装置、２  パラボナアンテナ、３  衛星放送コンバータ、４  フィードホーン、５  コンバータ本体部、６  基板、７  コネクタ、８  外部コネクタ、９  筐体、１０  シャーシ、１１  蓋部、１２  コネクタ本体、１３  装着部、１４  筒部、１５  端子部、１６  絶縁部材、１７  支持部材、２０，３１  天板部、２１，３０  周壁部、２２  ねじ部、２３，３２  穴部。
【図１】
0005921941.tif 000002
【図２】
0005921941.tif 000003
【図３】
0005921941.tif 000004